(57)【特許請求の範囲】
【請求項１】
円盤状の本体部と、
単一の平面内で相互に隣接して配置されて前記本体部に内蔵されている複数個の平板状の磁石とからなり、
前記本体部は、人体に当接される下側端面に凹凸部を有し、
前記凹凸部における凸部の下側表面が前記人体に当接するときに、前記凹凸部における凹部によって前記本体部の外側に通じる通気部が前記下側端面に形成される磁気治療器であって、
前記下側端面の径方向での外側である外周縁側において前記下側端面の周方向に伸びる帯状の複数個の第一周方向当接部と、
前記複数個の第一周方向当接部の径方向における内側で、前記複数個の第一周方向当接部との間に径方向において所定の間隔をあけて、前記下側端面の周方向に伸びる帯状の複数個の第二周方向当接部とが前記凸部に含まれ、
前記帯状の複数個の第一周方向当接部における前記下側端面の周方向に隣接する前記第一周方向当接部同士の間に径方向に伸びて形成されている溝状の第一径方向空間部と、
前記複数個の第一周方向当接部と、前記複数個の第二周方向当接部との間で前記下側端面の周方向に伸びていて前記第一径方向空間部の径方向における内側に連通する環状溝部と、
前記帯状の複数個の第二周方向当接部における前記下側端面の周方向に隣接する前記第二周方向当接部同士の間に径方向に伸びて形成されていて、径方向における外側が前記環状溝部に連通する溝状の第二径方向空間部とが前記凹部に含まれる
磁気治療器。
【請求項２】
前記本体部の前記下側端面に対向する上側端面から前記下側端面に向けて形成されていて、下端側が前記第二径方向空間部の径方向における内側に連通している上下方向通気孔を備えている
請求項１記載の磁気治療器。
【請求項３】
前記第一周方向当接部は、前記径方向における内側の内側周縁から、前記径方向における外側の外側周縁に向かって下り傾斜する第一傾斜面になっていると共に、
前記第二周方向当接部が、前記径方向における内側の内側周縁から、前記径方向における外側の外側周縁に向かって下り傾斜する第二傾斜面になっている請求項１又は２記載の磁気治療器。
【請求項４】
前記第二傾斜面と、前記第一傾斜面とは、前記径方向における内側から前記径方向における外側に向かって連続する傾斜面になっている請求項３記載の磁気治療器
【請求項５】
前記第一傾斜面及び、前記第二傾斜面は、前記本体部の下側から前記本体部の上側に向かって凸湾する曲面になっている請求項３又は４記載の磁気治療器。
【発明の詳細な説明】
【技術分野】
【０００１】
この発明は磁気治療器に関する。特に、平板状の複数個の磁石が単一の平面内に相互に隣接して配置される状態で本体部に内蔵されている磁気治療器に関する。
【背景技術】
【０００２】
平板状の複数個の磁石が単一の平面内に相互に隣接して配置される状態で本体部に内蔵されている磁気治療器については従来からいくつか提案されている。
【０００３】
例えば、特許第３２３０２３６号公報（特許文献１）では、単一の平面内に相互に隣接して配置され、それぞれの中心が、同一平面内の正方形の頂点に位置決めされている４つの磁石が本体部に内蔵されている、鎮痛のために人体に当接させるのに適した磁気治療器が提案されている。
【先行技術文献】
【特許文献】
【０００４】
【特許文献１】特許第３２３０２３６号公報
【発明の概要】
【発明が解決しようとする課題】
【０００５】
平板状の複数個の磁石が単一の平面内に相互に隣接して配置される状態で本体部に内蔵されている磁気治療器では、従来、人体に当接する面は平板状であることが一般的であった。
【０００６】
従来の磁気治療器を人体に当接させて長い時間にわたって使用していると、当接面が平板状であることから、平板状の当接面と皮膚との間に蒸れが生じたり、磁気治療器が当接している皮膚に痒みが生じる、等の不具合が生じることがあった。また、鎮痛などの目的のために人体に当接させて使用していた磁気治療器を人体から取り除くと、磁気治療器が当接していた皮膚に磁気治療器の当接部の形状に対応した跡が残ることがあった。
【０００７】
本発明は、これらの不具合の解決を目的にしている。すなわち、鎮痛などの目的のために人体に当接させて使用している間に、当接部に蒸れが生じたり、皮膚に痒みが生じる、等の不具合が発生することや、磁気治療器を人体から取り除いたときに磁気治療器が当接していた皮膚に磁気治療器当接部の形状に対応した跡が残ることを抑制できる磁気治療器を提供することを目的にしている。
【課題を解決するための手段】
【０００８】
円盤状の本体部と、
単一の平面内で相互に隣接して配置されて前記本体部に内蔵されている複数個の平板状の磁石とからなり、
前記本体部は、人体に当接される下側端面に凹凸部を有し、
前記凹凸部における凸部の下側表面が前記人体に当接するときに、前記凹凸部における凹部によって前記本体部の外側に通じる通気部が前記下側端面に形成される磁気治療器。
【発明の効果】
【０００９】
この発明によれば、鎮痛などの目的のために人体に当接させて使用している間に、当接部に蒸れが生じたり、皮膚に痒みが生じる、等の不具合が発生することや、磁気治療器を人体から取り除いたときに磁気治療器が当接していた皮膚に磁気治療器当接部の形状に対応した跡が残ることを抑制できる磁気治療器を提供することができる。
【図面の簡単な説明】
【００１０】
【図１】（ａ）本発明の一実施形態に係る磁気治療器の平面図、（ｂ）図１（ａ）の底面図。
【図２】（ａ）図１（ａ）図示の状態の磁気治療器を側面から（図１（ａ）が図示されている図面の下側から上側に向かって）見た状態を表す図、（ｂ）図１（ｂ）図示の状態の磁気治療器を側面から（図１（ｂ）が図示されている図面の下側から上側に向かって）見た状態を表す図。
【図３】本発明の一実施形態に係る磁気治療器における第一周方向当接部の下側面及び、第二周方向当接部の下側面の実施形態の一例を表す図であって、（ａ）は図１（ａ）のＡ−Ａ線断面、（ｂ）は図１（ａ）のＢ−Ｂ線断面を表す図。
【図４】本発明の一実施形態に係る磁気治療器における第一周方向当接部の下側面及び、第二周方向当接部の下側面の実施形態の他の例を表す図であって、（ａ）は図１（ａ）のＡ−Ａ線断面、（ｂ）は図１（ａ）のＢ−Ｂ線断面を表す図。
【図５】本発明の一実施形態に係る磁気治療器において本体部に内蔵される磁石の一例を表す図であって（ａ）は平面図、（ｂ）は側面図。
【図６】（ａ）は本発明の一実施形態に係る磁気治療器において本体部に内蔵される複数個の磁石の配置形態の一例を平面視状態で説明する図、（ｂ）は図６（ａ）図示の配置形態の複数の磁石の磁極の状態を説明する図。
【図７】本発明の一実施形態に係る磁気治療器において本体部に内蔵される一個一個の磁石からの磁力の状態の一例を説明する概念図。
【図８】（ａ）本発明の一実施形態に係る磁気治療器が鎮痛などの目的のために本体部の下側端面を人体に当接させて使用されている状態を説明する図、（ｂ）従来の磁気治療器が鎮痛などの目的のために下側端面を人体に当接させて使用されている状態を説明する図。
【発明を実施するための形態】
【００１１】
この実施形態の磁気治療器１は、円盤状の本体部１ａ（図２）と、単一の平面内で相互に隣接して配置されて本体部１ａに内蔵されている複数個の平板状の磁石８ａ、８ｂ、８ｃ、８ｄ、８ｅ、８ｆ、８ｇ、８ｈとを備えている。
【００１２】
図１、図２図示の実施形態では、本体部１ａは、図２（ａ）で上側に位置している上側端面２と、図２（ａ）で下側に位置している下側端面３を備えている円盤状で、平板状の８個の磁石８ａ、８ｂ、８ｃ、８ｄ、８ｅ、８ｆ、８ｇ、８ｈが図１図示のように相互に隣接して配置される状態でこの円盤状の本体部１ａに内蔵されている。
【００１３】
平板状の８個の磁石８ａ〜８ｈは、図５に例示したような円板状の磁石である。図５（ａ）は平面図で表面側９ａが表されており、図５（ｂ）は側面図で、表面側９ａに対向する下側が底面側９ｂになる。なお、本明細書、図面において、磁石８ａ〜８ｈを総称して磁石８と表すことがある。磁石８としては、例えば、直径３〜５ｍｍ程度、厚さ１ｍｍ程度の微小な円板状磁石を採用することができる。
【００１４】
図２（ａ）は、図１（ａ）図示の状態の磁気治療器１を側面から（図１（ａ）が図示されている図面の下側から上側に向かって）見た状態を表すものである。
【００１５】
平板状の磁石８ｆ、８ｅ、８ｄ、８ｃ、８ｂが、単一の平面内に相互に隣接して配置されている状態を表している。図２（ａ）中、磁石８ｅの背後に磁石８ｇ、磁石８ｄの背後に磁石８ｈ、磁石８ｃの背後に磁石８ａがそれぞれ存在していて、平板状の８個の磁石８ａ〜８ｈが、単一の平面内に相互に隣接して配置されている。
【００１６】
図２（ｂ）は、図１（ｂ）図示の状態の磁気治療器１を側面から（図１（ｂ）が図示されている図面の下側から上側に向かって）見た状態を表すものである。
【００１７】
平板状の磁石８ｂ、８ｃ、８ｄ、８ｅ、８ｆが、単一の平面内に相互に隣接して配置されている状態を表している。図２（ｂ）中、磁石８ｃの背後に磁石８ａ、磁石８ｄの背後に磁石８ｈ、磁石８ｅの背後に磁石８ｇが存在していて、平板状の８個の磁石８ａ〜８ｈが、単一の平面内に相互に隣接して配置されている。
【００１８】
なお、本明細書において、複数個の平板状の磁石８ａ〜８ｈが、単一の平面内に相互に隣接して配置されている状態における「単一の平面内に配置されている」とは、上述したように、本体部１ａを側面から見た際に、背後側に存在する磁石８ｇ、磁石８ｈ、磁石８ａが前方側に存在する磁石８ｅ、磁石８ｄ、磁石８ｃに重なっている、背後側に存在する磁石８ａ、磁石８ｈ、磁石８ｇが前方側に存在する磁石８ｃ、磁石８ｄ、磁石８ｅに重なっている状態になる程度の平面内に複数個の平板状の磁石８ａ〜８ｈが配置されていることをいい、厳密な平面だけでなく、略平面な状態をも含む概念である。
【００１９】
平板状の複数個の磁石８ａ〜８ｈが単一の平面内に相互に隣接して配置される状態で内蔵されている上述の円盤状の本体部１ａは、単一の平面内に相互に隣接して配置される、上記に例示したように微小なサイズの平板状磁石を複数個内蔵するもので、そのサイズとしては、例えば、図１（ａ）、図１（ｂ）図示の円形状の上側端面２、円形状の下側端面３の直径が２２〜２４ｍｍ、図２（ａ）、（ｂ）図示の上下方向の厚みが４ｍｍ〜６ｍｍのものを採用することができる。円盤状の本体部１ａは種々の部材から形成することができ、例えば、合成樹脂製にすることができる。
【００２０】
図示の実施形態では、上述した円盤状の本体部１ａの下側端面３に対向する上側端面２から下側端面３に向けて上下方向通気孔１０が形成されている。図示の実施形態では、円形状の上側端面２、円形状の下側端面３の中心の位置で、上側端面２から下側端面３に向かう上下方向通気孔１０が形成されている。
【００２１】
円盤状の本体部１ａの下側端面３は、その径方向での外側である外周縁側において、下側端面３の周方向に伸びる帯状の複数個の第一周方向当接部４ａ、４ｂ、４ｃ、４ｄを備えている。
【００２２】
また、円盤状の本体部１ａの下側端面３は、第一周方向当接部４ａ、４ｂ、４ｃ、４ｄと径方向に間隔をあけて、下側端面３の径方向での内側に、下側端面３の周方向に伸びる帯状の複数個の第二周方向当接部６ａ、６ｂ、６ｃ、６ｄを備えている。
【００２３】
半径方向外側の第一周方向当接部４ａ、４ｂ、４ｃ、４ｄと、半径方向内側の第二周方向当接部６ａ、６ｂ、６ｃ、６ｄとの間には図１（ａ）、（ｂ）図示のように平面視したときに環状になる溝部、すなわち、環状溝部１１が形成されている。
【００２４】
複数個の第一周方向当接部４ａ〜４ｄにおける下側端面３の周方向に隣接する第一周方向当接部４ａ、４ｂの間に径方向に伸びる溝状の第一径方向空間部５ａが形成されている。複数個の第一周方向当接部４ａ〜４ｄにおける下側端面３の周方向に隣接する第一周方向当接部４ｂ、４ｃの間に径方向に伸びる溝状の第一径方向空間部５ｂが形成されている。複数個の第一周方向当接部４ａ〜４ｄにおける下側端面３の周方向に隣接する第一周方向当接部４ｃ、４ｄの間に径方向に伸びる溝状の第一径方向空間部５ｃが形成されている。複数個の第一周方向当接部４ａ〜４ｄにおける下側端面３の周方向に隣接する第一周方向当接部４ｄ、４ａの間に径方向に伸びる溝状の第一径方向空間部５ｄが形成されている。
【００２５】
第一径方向空間部５ａ、５ｂ、５ｃ、５ｄの半径方向外側は上述した円盤状の本体部１ａの外部に連通し、第一径方向空間部５ａ、５ｂ、５ｃ、５ｄの半径方向内側は上述した環状溝部１１に連通している。
【００２６】
複数個の第二周方向当接部６ａ〜６ｄにおける下側端面３の周方向に隣接する第二周方向当接部６ａ、６ｂの間に径方向に伸びる溝状の第二径方向空間部７ａが形成されている。複数個の第二周方向当接部６ａ〜６ｄにおける下側端面３の周方向に隣接する第二周方向当接部６ｂ、６ｃの間に径方向に伸びる溝状の第二径方向空間部７ｂが形成されている。複数個の第二周方向当接部６ａ〜６ｄにおける下側端面３の周方向に隣接する第二周方向当接部６ｃ、６ｄの間に径方向に伸びる溝状の第二径方向空間部７ｃが形成されている。複数個の第二周方向当接部６ａ〜６ｄにおける下側端面３の周方向に隣接する第二周方向当接部６ｄ、６ａの間に径方向に伸びる溝状の第二径方向空間部７ｄが形成されている。
【００２７】
第二径方向空間部７ａ、７ｂ、７ｃ、７ｄの半径方向外側は上述した環状溝部１１に連通しており、第二径方向空間部７ａ、７ｂ、７ｃ、７ｄの半径方向内側は上述した上下方向通気孔１０の下端側に連通している。
【００２８】
円盤状の本体部１ａの下側端面３は上述した構造になっていることから、円盤状の本体部１ａの下側端面３は凹凸部を備えている構造になっている。
【００２９】
図示の実施形態では、第一周方向当接部４ａ、４ｂ、４ｃ、４ｄと、第二周方向当接部６ａ、６ｂ、６ｃ、６ｄとが、前記凹凸部における凸部に含まれる。
【００３０】
一方、第一径方向空間部５ａ、５ｂ、５ｃ、５ｄと、環状溝部１１と、第二径方向空間部７ａ、７ｂ、７ｃ、７ｄとが前記凹凸部における凹部に含まれる。
【００３１】
本実施形態の磁気治療器１は、上述した構造になっていることから、前記凹凸部における凸部（第一周方向当接部４ａ、４ｂ、４ｃ、４ｄ、第二周方向当接部６ａ、６ｂ、６ｃ、６ｄ）の表面（図２（ａ）における下側面）が、図８（ａ）図示のように、人体２０に当接するときに、前記凹凸部における凹部（第一径方向空間部５ａ、５ｂ、５ｃ、５ｄ、環状溝部１１、第二径方向空間部７ａ、７ｂ、７ｃ、７ｄ）によって本体部１ａの外側に通じる通気部が円盤状の本体部１ａの下側端面３に形成される。
【００３２】
また、この実施形態においては、第二径方向空間部７ａ、７ｂ、７ｃ、７ｄの半径方向内側が上下方向通気孔１０の下端側に連通していることから、上述した通気部は、円盤状の本体部の上側端面２の中央部に開口している上下方向通気孔１０の上端開口から上下方向通気孔１０内へ通じ、円盤状の本体部１ａの下側端面３まで到達する上下方向通気孔１０の下端から、いずれも下側端面３に溝状に形成されている、第二径方向空間部７ａ、７ｂ、７ｃ、７ｄ、環状溝部１１、第一径方向空間部５ａ、５ｂ、５ｃ、５ｄを介して、円筒状の本体部１ａの下端の外周縁を経て、円盤状の本体部１ａの外側へと通じるものになっている。
【００３３】
そこで、この実施形態の磁気治療器１が、鎮痛などの目的のために、図８（ａ）図示のように、下側端面３を人体２０に当接させていても、上述した通気部によって通気が確保されることから、いわゆる蒸れが生じることがなくなる。
【００３４】
例えば、不織布製のテープなどの貼り付け手段を用いて磁気治療器１を人体に取り付けることにし、上下方向通気孔１０の上側が不織布製のテープで覆われるようにしておけば、鎮痛などの目的のためにこの実施形態の磁気治療器１を人体に当接させて使用している間も、上述した通気が確保されるので、いわゆる蒸れが生じる可能性を低減させることができる。
【００３５】
また、円盤状の本体部１ａは、下側端面３の周方向に伸びる帯状の複数個の第一周方向当接部４ａ、４ｂ、４ｃ、４ｄ、下側端面３の周方向に伸びる帯状の複数個の第二周方向当接部６ａ、６ｂ、６ｃ、６ｄを介して人体に当接しているだけでしかないので、鎮痛などの目的のためにこの実施形態の磁気治療器１を人体に当接させて使用しているときに、皮膚に痒みが生じる、等の不具合が発生することや、磁気治療器１を人体から取り除いたときに磁気治療器１が当接していた皮膚に磁気治療器１の当接部（下側端面３）の形状に対応した跡が残ることを抑制できる。
【００３６】
第一周方向当接部４ａ〜４ｄ、第二周方向当接部６ａ〜６ｄはいずれも円盤状の本体部１ａの下側端面３の径方向に所定の幅を有する帯状である。また、磁気治療器１が当接される人体の皮膚側から見て、すなわち、平面視で、曲線状である。そこで、磁気治療器１に対するねじれや衝撃に対して強度を有するものになっているとともに、磁気治療器１が当接される人体の皮膚への食い込みが大きくならないようになっている。
【００３７】
この実施形態では、図１、図２図示のように、第二径方向空間部７ａは第一径方向空間部５ａに対応する（同一の）円周方向位置、第二径方向空間部７ｂは第一径方向空間部５ｂに対応する（同一の）円周方向位置、第二径方向空間部７ｃは第一径方向空間部５ｃに対応する（同一の）円周方向位置、第二径方向空間部７ｄは第一径方向空間部５ｄに対応する（同一の）円周方向位置に形成されている。上述した通気部を介した通気の効率を考慮するとこのような配置形態にすることが望ましい。
【００３８】
ただし、これに限られるものではなく、第二径方向空間部の円周方向位置と、第一径方向空間部の円周方向位置とが異なるようにすることができる。異ならせても、第一径方向空間部も、第二径方向空間部も円盤状の本体部１ａの下側端面３で周方向にそれぞれ所定の間隔をあけて複数個形成されており、更に、上述したように、上端が上側端面２で開口している上下方向通気孔１０の下端側に第二径方向空間部の径方向内側が連通し、第二径方向空間部の径方向外側が環状溝１１の径方向内側に連通し、環状溝１１の径方向外側が第一径方向空間部の径方向内側に連通し、第一径方向空間部の径方向外側が円柱状の本体部１ａの下端外周縁に開口しているので、蒸れの防止に有用な通気が十分に確保される。
【００３９】
この実施形態では、第一径方向空間部５ａ〜５ｄ、第二径方向空間部７ａ〜７ｄは、いずれも、円盤状の本体部１ａの下側端面３の周方向に９０度ずつ間隔をあけて４個形成され、これに応じて、第一周方向当接部４ａ〜４ｄ、第二周方向当接部６ａ〜６ｄも円周方向に伸びる４本ずつであった。
【００４０】
これに替えて、第一径方向空間部、第二径方向空間部を、円盤状の本体部１ａの下側端面３の周方向に１８０度ずつ間隔をあけて２個形成し、これに応じて、第一周方向当接部、第二周方向当接部も円周方向に伸びる２本ずつにする、第一径方向空間部、第二径方向空間部を、円盤状の本体部１ａの下側端面３の周方向に１２０度ずつ間隔をあけて３個形成し、これに応じて、第一周方向当接部、第二周方向当接部も円周方向に伸びる３本ずつにする、第一径方向空間部、第二径方向空間部を、円盤状の本体部１ａの下側端面３の周方向に６０度ずつ間隔をあけて６個形成し、これに応じて、第一周方向当接部、第二周方向当接部も円周方向に伸びる６本ずつにする、等、種々に変更することができる。
【００４１】
この実施形態では、図６図示のように、同一サイズ、同一磁力の８個の平板状の磁石８ａ〜８ｈを円盤状の本体部１ａ内の単一の平面内で、本体部１ａの円周方向に均等間隔で配置している。平板状の磁石８ａ〜８ｈは、図６（ｂ）図示のように、円周方向で隣接する磁石８ａ〜８ｈごとに磁極面を異ならせて配置することになる。図６（ｂ）はこの場合の水平方向での極の変化を説明するものである。
【００４２】
図７は、この実施形態に使用した磁石８ａ〜８ｈの一個一個の磁石（サイズは直径：５ｍｍ、厚さ：１ｍｍ）の水平方向での磁力の大きさを説明するものである。
【００４３】
図７に磁力の大きさを説明した磁石８ａ〜８ｈを図１、図２図示のように合成樹脂製の本体部１ａに内蔵させたこの実施形態の磁気治療器１（サイズは直径：２３ｍｍ、厚さ：５ｍｍ）の磁力は８５０ガウス〜１２５０ガウスであった。
【００４４】
この実施形態では、同一サイズ、同一磁力の平板状の微小な磁石を、円盤状の本体部１ａの中心を中心とする同一の円周上で、円周方向に均等な間隔をあけて８個、円周方向に隣接する磁石ごとに磁極面を交互にして配置していた。これに替えて、同一サイズ、同一磁力の平板状の微小な磁石を、円盤状の本体部１ａの中心を中心とする同一の円周上で、円周方向に均等な間隔をあけて４個、円周方向に隣接する磁石ごとに磁極面を交互にして配置する、あるいは、同一サイズ、同一磁力の平板状の微小な磁石を、円盤状の本体部１ａの中心を中心とする同一の円周上で、円周方向に均等な間隔をあけて６個、円周方向に隣接する磁石ごとに磁極面を交互にして配置する、同一サイズ、同一磁力の平板状の微小な磁石を、円盤状の本体部１ａの中心を中心とする同一の円周上で、円周方向に均等な間隔をあけて１０個、円周方向に隣接する磁石ごとに磁極面を交互にして配置する等の構造にすることもできる。
【００４５】
図３、図４は、上述した実施形態の磁気治療器１における第一周方向当接部４ａ〜４ｂの下側面、第二周方向当接部６ａ〜６ｂの下側面の実施形態の一例を表すものである。
【００４６】
第一周方向当接部４ａ〜４ｄは、径方向における内側の内側周縁から、径方向における外側の外側周縁に向かって下り傾斜する第一傾斜面１４ａ１、１４ａ２、１４ｂ１、１４ｂ２、１４ｃ１、１４ｃ２、１４ｄ１、１４ｄ２になっている。
【００４７】
第二周方向当接部６ａ〜６ｄは、径方向における内側の内側周縁から、径方向における外側の外側周縁に向かって下り傾斜する第二傾斜面１６ａ１、１６ａ２、１６ｂ１、１６ｂ２、１６ｃ１、１６ｃ２、１６ｄ１、１６ｄ２になっている。
【００４８】
図３図示の、第一傾斜面１４ａ１、１４ｂ１、１４ｃ１、１４ｄ１、第二傾斜面１６ａ１、１６ｂ１、１６ｃ１、１６ｄ１は、直線的な下り傾斜面である。
【００４９】
図４図示の第一傾斜面１４ａ２、１４ｂ２、１４ｃ２、１４ｄ２、第二傾斜面１６ａ２、１６ｂ２、１６ｃ２、１６ｄ２は、本体部１ａの下側から本体部１ａの上側に向かって凸湾する曲面になっている傾斜面である。
【００５０】
いずれでも、第二径斜面１６ａ１、１６ａ２、１６ｂ１、１６ｂ２、１６ｃ１、１６ｃ２、１６ｄ１、１６ｄ２と、第一径斜面１４ａ１、１４ａ２、１４ｂ１、１４ｂ２、１４ｃ１、１４ｃ２、１４ｄ１、１４ｄ２とは、径方向における内側から径方向における外側に向かって連続する傾斜面になっている。
【００５１】
従来の磁気治療器２１では、本体部２１ａの下側端面２２が平坦面になっているため、鎮痛などの目的のために下側端面２２を人体に当接させて使用すると、下側端面２２の径方向下側と人体の皮膚２０との間に符号２３で示す隙間が存在していた（図８（ｂ）。
【００５２】
これに対してこの実施形態の磁気治療器１では、上述した構造を採用することで、鎮痛などの目的のために下側端面を人体に当接させて使用すると、第一径斜面１４ａ１、１４ａ２、１４ｂ１、１４ｂ２、１４ｃ１、１４ｃ２、１４ｄ１、１４ｄ２、第二径斜面１６ａ１、１６ａ２、１６ｂ１、１６ｂ２、１６ｃ１、１６ｃ２、１６ｄ１、１６ｄ２が人体の皮膚２０に密着するようになるので有利である。
【００５３】
以上、添付図面を参照して本発明の実施形態を説明したが、本発明は上述した実施形態に限られるものではなく、特許請求の範囲の記載から把握される技術的範囲において種々に変更可能である。
【符号の説明】
【００５４】
１  磁気治療器
１ａ  円盤状の本体部
８ａ、８ｂ、８ｃ、８ｄ、８ｅ、８ｆ、８ｇ、８ｈ  平板状の磁石
２  本体部の上側端面
３  本体部の下側端面
４ａ、４ｂ、４ｃ、４ｄ  第一周方向当接部
５ａ、５ｂ、５ｃ、５ｄ  第一径方向空間部
６ａ、６ｂ、６ｃ、６ｄ  第二周方向当接部
７ａ、７ｂ、７ｃ、７ｄ  第二径方向空間部
１０  上下方向通気孔
【要約】
【課題】鎮痛などの目的のために人体に当接させて使用している間に、当接部に蒸れが生じたり、皮膚に痒みが生じる、等の不具合が発生することや、磁気治療器を人体から取り除いたときに磁気治療器が当接していた皮膚に磁気治療器当接部の形状に対応した跡が残ることを抑制できる磁気治療器。
【解決手段】円盤状の本体部と、単一の平面内で相互に隣接して配置されて前記本体部に内蔵されている複数個の平板状の磁石とからなり、前記本体部は、人体に当接される下側端面に凹凸部を有し、前記凹凸部における凸部の下側表面が前記人体に当接するときに、前記凹凸部における凹部によって前記本体部の外側に通じる通気部が前記下側端面に形成される磁気治療器。
【選択図】図１【図１】
0006671828.tif 000002
【図２】
0006671828.tif 000003
【図３】
0006671828.tif 000004
【図４】
0006671828.tif 000005
【図５】
0006671828.tif 000006
【図６】
0006671828.tif 000007
【図７】
0006671828.tif 000008
【図８】
0006671828.tif 000009